(57)【要約】【課題】玄関先で直接来訪者に応対した場合であっても、自動的に会話内容を録音できる音声録音装置を提供する。【解決手段】音声録音装置１は、ドア開閉検知部１０３が、玄関ドア２が開いたことを検知した場合およびまたはマイク１０７より本装置近傍の会話を検知した場合に録音部１０１の録音を開始し保存する。そして、ドア開閉検知部１０３が、玄関ドア２が閉じたことを検知した場合または本装置近傍の会話の終了を検知した場合に録音を停止する。【選択図】  図１
2017098642.tif 000002
【特許請求の範囲】
【請求項１】
ドア近傍の音声を入力する音声入力装置であって、
前記ドア近傍の音声を入力するドア音声入力手段と、前記ドア音声入力手段が入力した音声を録音およびまたは所定の宛先への転送する録音転送手段と、前記ドアの開閉を検知するドア開閉検知手段およびまたは前記ドア音声入力手段が入力した音声信号を解析して前記ドア近傍が有音状態もしくは無音状態であるか否かを検知する有音無音検知手段と、を有し、
前記ドア開閉検知手段が前記ドアの開を検知した場合およびまたは前記有音無音検知手段が有音状態を検知した場合に前記録音転送手段を起動し、前記ドア開閉検知手段が前記ドアの閉を検知した場合または前記有音無音検知手段が無音状態を検知した場合に、前記録音転送手段を停止することを特徴とするドア近傍音声録音装置。
【請求項２】
請求項１に記載の装置において、
前記ドアは自ドアを半開きの状態で保持するドアチェーンまたは前記ドアチェーンと同等の機能を有する施錠／開錠機具を備え、前記ドアが半開きの状態で保持されているか否かを検知する半開状態検知手段をさらに有し、
前記ドア開閉検知手段が前記ドアの開を検知した場合かつ前記半開状態検知手段が前記ドアの半開きの状態で保持されていることを検知した場合に、前記録音転送手段を起動することを特徴とするドア近傍音声録音装置。
【請求項３】
請求項１または請求項２に記載の装置において、
前記ドアの施錠／開錠を外部から操作する施錠／開錠外部操作を検知する施錠／開錠外部操作検知手段をさらに有し、
前記施錠／開錠外部操作検知手段が外部からの前記ドアの開錠を検知した場合、前記ドア開閉検知手段およびまたは前記有音無音検知手段およびまたは前記半開状態検知手段の検知内容に関わらず前記録音転送手段を起動しないことを特徴とするドア近傍音声録音装置。
【発明の詳細な説明】
【技術分野】
【０００１】
本発明は、玄関ドア近傍における会話内容の録音および転送装置に関する。
【背景技術】
【０００２】
近年、悪質な訪問販売などによる消費者トラブルが増えており、消費者トラブルから身を守るための有効な手段の１つとして、訪問者との会話内容を全て録音し証拠を残すという方法がある。
【０００３】
例えば、特許文献１には、玄関に設置されたテレビドアホン装置が、来訪者による呼出ボタンの押下を検知すると、来訪者の映像を録画または音声を録音する技術が記載されている。これにより、テレビドアホン装置越しでの来訪者との会話内容を録音できる。
【０００４】
しかしながら、特許文献１の録音録画機能付テレビドアホン装置は、玄関先で来訪者に応対した場合を考慮していない。例えば、判断能力の低下した高齢者やテレビドアホン装置の操作を知らない者が、玄関先にて直接来訪者に応対した場合、会話内容が録音できないという問題がある。
【先行技術文献】
【特許文献】
【０００５】
【特許文献１】特開２００２−２７１７８１号公報
【発明の概要】
【発明が解決しようとする課題】
【０００６】
本発明は、上記問題を解決するためになされたもので、その課題は、テレビドアホン装置を介さず玄関先で直接来訪者に応対した場合であっても、自動的に会話内容を録音することのできる音声録音装置を提供することにある。
【課題を解決するための手段】
【０００７】
上記課題を解決するために、本発明は、ドア近傍の音声を入力する音声入力装置であって、前記ドア近傍の音声を入力するドア音声入力手段と、前記ドア音声入力手段が入力した音声を録音およびまたは所定の宛先への転送する録音転送手段と、前記ドアの開閉を検知するドア開閉検知手段およびまたは前記ドア音声入力手段が入力した音声信号を解析して前記ドア近傍が有音状態もしくは無音状態であるか否かを検知する有音無音検知手段と、を有し、前記ドア開閉検知手段が前記ドアの開を検知した場合およびまたは前記有音無音検知手段が有音状態を検知した場合に前記録音転送手段を起動し、前記ドア開閉検知手段が前記ドアの閉を検知した場合または前記有音無音検知手段が無音状態を検知した場合に、前記録音転送手段を停止することを特徴とする。
【発明の効果】
【０００８】
本発明によれば、音声録音装置は、ドア近傍における会話音声の音声信号を検知した場合およびまたはドアの開を検知した場合に、ドア近傍における会話音声の録音を開始するため、テレビドアホン装置を介さず玄関先にて直接来訪者に応対した場合であっても直接応対した来訪者との会話内容を全て録音し証拠を残すことができる。
【図面の簡単な説明】
【０００９】
【図１】本発明の実施形態に係る音声録音装置のブロック構成図である。
【図２】本発明の実施形態に係る音声録音装置の動作フローチャートである。
【図３】本発明の実施形態における、録音音声情報表示の例示図である。
【発明を実施するための形態】
【００１０】
以下、本発明の一実施の形態について図を用いて説明する。
【００１１】
図１は、本発明の実施形態に係る音声録音装置１のブロック構成図である。
【００１２】
本実施形態に係る音声録音装置１は、玄関ドア２周囲の壁面に設置され、ドアチェーンの施錠／開錠機具を備えた音声録音装置である。玄関ドア２は、予めドアチェーン２０１と、ドア開閉検知に必要なマグネット２０２が取り付けられている。
【００１３】
音声録音装置１は、録音部１０１と、ドアチェーン施錠検知部１０２と、ドア開閉検知部１０３と、制御部１０４と、操作部１０５と、表示部１０６と、マイク１０７と、スピーカ１０８と、から構成される。
【００１４】
録音部１０１は、自ブロックの装置内部に録音音声を記憶する記憶装置を備え、マイク１０７から入力された音声信号を装置内部に記憶する録音部である。また、録音部１０１は、操作部１０５から再生操作を検出した場合、当該操作に対応する録音音声を抽出し、スピーカ１０８に出力させる。
また、録音部１０１は、操作部１０５で消去操作が行なわれた場合、記憶した録音音声を消去する。
【００１５】
尚、録音部１０１は、マイク１０７から入力された音声を所定の宛先（例えばテレビドアホン装置の親機）に転送する転送処理部であってもよい。
【００１６】
ドアチェーン施錠検知部１０２は、玄関ドア２が半開きの状態を保持するためのドアチェーン２０１が施錠されているか否かを検知する。具体的には、ドアチェーン施錠検知部１０２は、静電容量形近接センサーであって、金属であるドアチェーンの取り付けおよび取り外しに伴う静電容量の変化を検知することによってドアチェーン２０１の施錠・開錠状態を検知し、記憶する。また、ドアチェーン施錠検知部１０２は、制御部１０４からの要求に応じて、制御部１０４へドアチェーンの施錠・開錠状態を通知する。
【００１７】
尚、本実施例においては鎖状のドアチェーンを想定しているが、同等な機能を有するＵ字型のドアガード装置であってもよい。
【００１８】
尚、本実施例においては静電容量形近接センサーを想定しているが、センサーの種類については、マイクロスイッチ、ホール素子、ＲＦＩＤ（Ｒａｄｉｏ  Ｆｒｅｑｕｅｎｃｙ  ＩＤｅｎｔｉｆｉｃａｔｉｏｎ）式近接センサーなどであってもよい。
【００１９】
ドア開閉検知部１０３は、玄関ドア２が開いているか、閉じているかのドアの開閉状態を検知する。具体的には、ドア開閉検知部１０３は、磁気近接センサーであって、玄関ドア２に取り付けられたマグネット２０２の接近および離脱を検知することによって、ドアが開いたことまたは閉じたことを検知する。また、ドア開閉検知部１０３は、ドアが開いたことまたは閉じたことを制御部１０４へ通知する。
【００２０】
尚、本実施例においては非接触式のマグネット２０２を用いた磁気近接センサーを想定しているが、センサーの種類については、マイクロスイッチ、ホール素子、ＲＦＩＤ式近接センサーなどであってもよい。
【００２１】
制御部１０４は、音声録音装置１に係る制御処理全般を行う。
【００２２】
操作部１０５は、音声録音装置１の操作（例えば、再生操作または消去操作等）を行うためのユーザーインタフェースである。操作部１０５から録音音声の再生操作または消去操作を行った場合、表示部１０６に録音音声情報表示３を表示し操作対象となる録音音声を選択する。
【００２３】
表示部１０６は、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）等の表示装置であり、本装置内部に記憶した録音音声に係る情報や本装置の動作状態などの各情報を表示するためのユーザーインタフェースである。
【００２４】
マイク１０７は、ドア近傍における音声を入力するための音声入力装置である。
【００２５】
スピーカ１０８は、録音した音声を出力するまたは制御部１０４が一定時間ドアチェーン越しの会話を検知した場合（例えば１０分間）、制御部１０４からの要求に応じて、応対の拒否を促すためのアラーム音を出力する。
【００２６】
玄関ドア２は、ドアチェーン２０１と、マグネット２０２で構成される。
【００２７】
ドアチェーン２０１は、音声録音装置１と玄関ドア２を鎖状のドアチェーンで繋ぐための施錠機具である。
【００２８】
マグネット２０２は、ドア開閉検知部１０３と対を成すもので、ドア開閉検知部１０３が磁気の強度によりドアが開いたことまたは閉じたことを検知するための磁石である。
【００２９】
図２は、本発明の実施形態に係る音声録音装置の動作フローチャートである。以下、図１を併用して本フローチャートを説明する。本フローチャートは、音声録音装置１の電源が投入されている状態からスタートする。
【００３０】
まず、音声録音装置１の制御部１０４は、ドア開閉検知部１０３が、玄関ドア２が開いたことを検知する（Ｓ２０１）、または、操作部１０５で装置内部に記憶した録音音声の再生操作もしくは消去操作がなされたことを検知する（Ｓ２０２）のいずれかの状態になるのを待つ。
【００３１】
ドア開閉検知部１０３が、玄関ドア２が開いたことを検知した場合（Ｓ２０１、ＹＥＳ）、制御部１０４は、ドアチェーン施錠検知部１０２からドアチェーン２０１の施錠・開錠状態の情報を取得する（Ｓ２０３）。
【００３２】
ドアチェーン２０１の現在の状態が施錠状態であれば（Ｓ２０３、ＹＥＳ）、制御部１０４は、ドア近傍における会話を録音するため、マイク１０７を起動し、録音部１０１にて録音を開始する（Ｓ２０４）。ドアチェーン２０１の状態が開錠状態であれば（Ｓ２０３、ＮＯ）、ステップ２０１へ戻る。
【００３３】
次に制御部１０４は、制御部１０４が備える応対の拒否を促すためのアラーム音を出力するためのタイマ（図示しない）を起動し（Ｓ２０５）、ドア開閉検知部１０３が、玄関ドア２が閉じたことを検知する（Ｓ２０６）、またはステップ２０５で起動したタイマが、タイムアウトする（Ｓ２０７）のいずれかの状態になるのを待つ。
【００３４】
ステップ２０５で起動したタイマが、タイムアウトしたならば（Ｓ２０７、ＹＥＳ）、制御部１０４は、スピーカ１０８から応対の拒否を促すためのアラーム音を出力し（Ｓ２０９）、ステップ２０６に戻る。尚、アラーム音の代わりに電話機の着信音を模した疑似着信音を出力して、電話がかかってきた旨を口実として応対者に応対を拒否させてもよい。
【００３５】
玄関ドア２が閉じたことを検知した場合（Ｓ２０６、ＹＥＳ）、制御部１０４は、応対の拒否を促すためのアラーム音とステップ２０５で起動したタイマを停止し（Ｓ２０８）、一定時間連続した無音を検知する（Ｓ２１０）または録音部１０１が備える記憶装置の空き容量不足を検知する（Ｓ２１１）のいずれかの状態になるのを待つ。
【００３６】
一定時間、例えば１０秒間連続した無音を検知した場合（Ｓ２１０、ＹＥＳ）、もしくは録音部１０１が備える記憶装置の空き容量不足を検知した場合（Ｓ２１１、ＹＥＳ）、制御部１０４は、録音部１０１の録音を停止する（Ｓ２１２）。
【００３７】
さらに、未確認の録音音声が存在することを報知するため、表示部１０６にＬＥＤ点滅などで表示してもよい（図示せず）。そして、ステップ２０１へ戻る。
【００３８】
一方、待機状態において録音音声の再生操作または消去操作を検知した場合（Ｓ２０２、ＹＥＳ）、制御部１０４は、表示部１０６に、録音音声情報表示３の情報を表示し、選択された録音音声の再生または消去を実行し（Ｓ２１３）、ステップ２０１へ戻る。
【００３９】
図３は、本発明の実施形態における、録音音声情報表示の例示図である。
【００４０】
録音音声情報表示３は、本装置内部に記憶した録音音声に係る情報（以下、「録音音声情報」と呼称する）をリスト表示したものであり、録音番号３０１と、録音日時３０２と、録音時間３０３と、未確認フラグ３０４とを有する。録音音声情報は録音日時３０２が古いものから順に表示する。録音番号３０１は、録音日時３０２が古いものから若番順に番号を割り当て、表示する。録音日時３０２には、音声録音装置１が録音を開始した日時を表示する。録音時間３０３には、録音音声の録音時間を表示する。未確認フラグ３０４は、録音音声を確認したか否かを表す情報で、新規に録音を記憶した場合に、未確認フラグをセットし、再生操作から録音音声の再生を行った場合に、未確認フラグをクリアする。
【００４１】
以上、本発明の一実施の形態を説明した。
【００４２】
本実施の形態において、音声録音装置１は、ドア開閉検知部１０３が、玄関ドア２が開いたことを検知した場合およびまたはマイク１０７より本装置近傍の会話を検知した場合に録音部１０１の録音を開始し保存する。そして、ドア開閉検知部１０３が、玄関ドア２が閉じたことを検知した場合または本装置近傍において無音状態の継続すなわち会話の終了を検知した場合に録音を停止する。これにより、利用者は、玄関先における来訪者との会話内容を全て録音し証拠として残すことができる。
【００４３】
また、本実施の形態において、音声録音装置１は、ドア開閉検知部１０３が、玄関ドア２が開いたことを検知した場合かつドアチェーン施錠検知部１０２が、ドアチェーン２０１の施錠状態を検知した場合に録音部１０１の録音を開始し保存する。これにより、利用者がドアチェーン越しで来客応対した場合、すなわち訪問販売や面識のない来訪者など、警戒心を持った相手との応対に特化して録音を残すことができる。
【００４４】
尚、本実施の形態では、音声録音装置１は、玄関ドア２が開いたことを検知した場合かつドアチェーン２０１の施錠状態を検知した場合に録音を開始するという説明をしたが、本願はこれに限定されない。例えば、音声録音装置１は、玄関ドア２が開いたことを検知した場合およびまたはマイク１０７より本装置近傍の会話を検知した場合に録音部１０１の録音を開始し保存すると共に、ドアチェーン２０１の施錠・開錠状態を録音音声と関連付けて保存しておき、表示部１０６に録音音声情報表示３を表示する際に録音開始時におけるドアチェーン状態を表示してもよい。これによって、利用者は、録音された音声がドアチェーン越しの警戒心を持った相手との応対である否かを判別できる。
【００４５】
尚、本実施の形態では、音声録音装置１は、玄関ドア２が開いたことを検知した場合およびまたはマイク１０７より本装置近傍の会話を検知した場合に録音を開始するという説明をしたが、本願はこれに限定されない。例えば、音声録音装置１のドア開閉検知部１０３が、玄関ドア２に備わったドア鍵を外側から開錠されたか、内側から開錠されたかを検知し、外側から開錠されたことを検知した後、一定時間以内に玄関ドア２が開いたことを検知した場合（例えば１０秒以内）およびまたはマイク１０７より本装置近傍の会話を検知した場合においても録音部１０１が録音を開始しないようにしてもよい。これによって、玄関ドア鍵の持ち主である家主やその家族が帰宅した場合などの不要な録音を減らすことができる。
【００４６】
尚、本実施の形態では、音声録音装置１は、玄関ドア２が開いたことを検知した場合かつドアチェーン２０１の施錠状態を検知した場合に録音を開始するという説明をしたが、本願はこれに限定されない。例えば、音声録音装置１は、玄関ドア近傍に設置されたドアホン装置に備わった呼出ボタンが押下されたか否かを検知し、ドアホン装置の呼出ボタンが押下されたことを検知した後、一定時間以内に玄関ドア２が開いたことを検知した場合（例えば３０秒以内）に、録音部１０１の録音を開始し保存してもよい。これによって、来客応対に特化して録音を残すことができる。
【符号の説明】
【００４７】
１    ・・・音声録音装置
１０１・・・録音部
１０２・・・ドアチェーン施錠検知部
１０３・・・ドア開閉検知部
１０４・・・制御部
１０５・・・操作部
１０６・・・表示部
１０７・・・マイク
１０８・・・スピーカ
２    ・・・玄関ドア
２０１・・・ドアチェーン
２０２・・・マグネット
【図１】
2017098642.tif 000003
【図２】
2017098642.tif 000004
【図３】
2017098642.tif 000005